【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
磁場発生手段と、前記磁場発生手段の作用により電磁誘導発熱する発熱部材と、を有し、画像情報に基づいて形成された被加熱材上の画像を前記発熱部材により加熱する画像加熱装置において、
前記発熱部材の被加熱材側の面と反対側の面側に、前記磁場発生手段を有するとともに前記発熱部材の前記磁場発生手段側の面に画像情報に応じて非磁性金属を含む粉体をコートする粉体コート手段を有することを特徴とする画像加熱装置。
【請求項２】
前記粉体コート手段は画像情報に応じて粉体のコート領域を変更することを特徴とする請求項１記載の画像加熱装置。
【請求項３】
前記粉体コート手段は被加熱材の幅に応じて粉体のコート領域を変更することを特徴とする請求項１記載の画像加熱装置。
【請求項４】
前記発熱部材にコートされた粉体を除去する除去手段と、前記除去手段にて回収された粉体を前記粉体コート手段へ戻す手段と、を有することを特徴とする請求項１乃至３のいずれか記載の画像加熱装置。
【請求項５】
前記磁場発生手段への入力電力を画像情報に基づいて変化させることを特徴とする請求項１乃至４のいずれか記載の画像加熱装置。
【手続補正２】
【補正対象書類名】明細書
【補正対象項目名】００１０
【補正方法】変更
【補正の内容】
【００１０】
本発明に係る代表的な画像加熱装置の構成は、磁場発生手段と、前記磁場発生手段の作用により電磁誘導発熱する発熱部材と、を有し、画像情報に基づいて形成された被加熱材上の画像を前記発熱部材により加熱する画像加熱装置において、前記発熱部材の被加熱材側の面と反対側の面側に、前記磁場発生手段を有するとともに前記発熱部材の前記磁場発生手段側の面に画像情報に応じて非磁性金属を含む粉体をコートする粉体コート手段を有することを特徴とする。
【手続補正３】
【補正対象書類名】明細書
【補正対象項目名】００２４
【補正方法】変更
【補正の内容】
【００２４】
加熱ローラ（以下、定着ローラと記す）１は誘導発熱体製の中空（円筒状）のローラ（電磁誘導発熱性部材）であり、その外周面にトナー離型層１ａを形成具備させてある。本例においてそのトナー離型層１ａはＰＴＦＥ３０μｍで構成されている。また定着ローラ１の内周面に像担持層として感光層１ｂを形成具備させてある。感光層１ｂはアモルファスシリコン、酸化亜鉛、酸化チタン等で構成されている。この定着ローラ１はその両端部側をそれぞれ定着装置の手前側と奥側の側板２１・２２間に軸受（ベアリング）２３を介して回転可能に支持させて配設してある。定着ローラ１の記録材側（被加熱材側）の面（外周面）と反対側の面（感光層１ｂ）側の内空部には磁場（磁束）発生手段としての加熱アセンブリ（励磁コイルユニット）３を挿入してその両端部側をそれぞれ定着装置の手前側と奥側の第１の保持部材２４・２５に非回転に固定支持させて配置してある。また内空部には粉体コート手段としての粉体コートアセンブリ８１を挿入してその両端部をそれぞれ定着装置の手前側と奥側の第２の保持部材２６・２７に非回転に固定支持させて配置してある。
【手続補正４】
【補正対象書類名】明細書
【補正対象項目名】００３１
【補正方法】変更
【補正の内容】
【００３１】
定着ローラ１の内空部に挿入した粉体コートアセンブリ(以下、コートアセンブリと記す）３１は、非磁性金属を含む粉体として内部に貯蔵されたアルミ含有粉体３２を画像情報に応じて定着ローラ内面感光層１ｂの任意の領域に選択的にコートできるようになっている。つまり、アルミ含有粉体３２のコート領域を画像情報に応じて変更できるようになっている。アルミ含有粉体３２はアルミ紛を内部に含む樹脂粉体であり、荷電制御のための樹脂を含んで構成されている。すなわち、アルミ含有粉体３２は樹脂でコートされたアルミ紛体である。本実施例ではこのアルミ含有粉体３２を電子写真プロセスで定着ローラ内面にコートしている。その際に粉体にトリボを持たせるために、このアルミに一体化した樹脂部分を所望の帯電傾向を有する樹脂にして攪拌することで荷電させている（電子写真プロセスのトナーと同様の働きを持たせる）。
【手続補正５】
【補正対象書類名】明細書
【補正対象項目名】００３４
【補正方法】変更
【補正の内容】
【００３４】
７は定着ローラ１の温度検知手段としてのサーミスタであり、定着ローラ１の表面に対して弾性部材により押圧して弾性的に接触させて配置してある。このサーミスタ７の検出温度信号が制御回路５１に入力する。温度検知手段７はサーミスタに限らず、温度検知素子であればよく、また接触式でも非接触式でも構わない。
【手続補正６】
【補正対象書類名】明細書
【補正対象項目名】００４３
【補正方法】変更
【補正の内容】
【００４３】
一方、アルミ含有粉体３２でコートされた部分（コート領域）Ｆ´（図５（ｂ））は、このアルミ含有粉体３２により磁力線が遮断され、定着ローラ１の誘導加熱が抑制される。このため、記録材Ｓ上のトナー像Ｔの載っていない領域は加熱されず、図４のようにニップ部Ｎにおいてトナー像Ｔと重なり合うＦ部分のみの選択加熱を行うことができる。
【手続補正７】
【補正対象書類名】明細書
【補正対象項目名】００４７
【補正方法】変更
【補正の内容】
【００４７】
このため、定着ローラ１をトナー像Ｔが定着できる温度まで上昇させるための加熱アッセンブリ３への必要電力は、トナー像の領域面積に依存する。従って、トナー像面積が小さければ、少ない電力で所定温度まで上昇させることができる。また、電力制御装置５２からコイル供給線５ａ・５ｂを介して加熱アッセンブリ３に供給される電力（入力電力）を、画像情報をもとに制御回路５１によりコントロールすることで効率的にプリント時の省エネルギーを実現することができる。すなわち、画像情報のデータ量が大きいときは供給電力を増加させ、データ量が小さいときは供給電力を減少させるようにコントロールする（入力電力を変化させる）ことで、効率的にプリント時の省エネルギーを実現することができる。
【手続補正８】
【補正対象書類名】明細書
【補正対象項目名】００４９
【補正方法】変更
【補正の内容】
【００４９】
本実施例では、画像情報に応じてトナー像以外の領域をアルミ含有粉体によりコートする例を示したが、例えば通紙される紙サイズ（被加熱材の幅）にあわせて非通紙領域のみをコートする（アルミ含有粉体のコート領域を変更する）ことで非通紙部昇温対策にも用いることができるのは言うまでもない。
【手続補正９】
【補正対象書類名】明細書
【補正対象項目名】００５２
【補正方法】変更
【補正の内容】
【００５２】
本実施例の定着装置は、前述の実施例１の定着装置１１６（図３）において定着ローラ１をエンドレスで可撓性の定着フィルム１Ａの形態にしたものである。
【手続補正１０】
【補正対象書類名】明細書
【補正対象項目名】００５４
【補正方法】変更
【補正の内容】
【００５４】
６３はいわゆるトナージェット方式を用いた粉体コート手段であり、ホルダー６４の内部に貯蔵されたアルミ含有粉体６５を定着フィルム１Ａ内面の任意の領域に選択的にコートできるようになっている。アルミ含有粉体６５はアルミ紛を内部に含む樹脂粉体であり、荷電制御のための樹脂を含んで構成されている。粉体コート手段６３は、アルミ含有粉体６５を飛翔させるための電界を形成する背面電極６６と、周りにリング状の電極が設けられた粉体通過孔が多数設けられた絶縁プレート６７と、該絶縁プレート６７にアルミ含有粉体６５を供給する粉体搬送ローラ６８とで構成されている。背面電極６６は定着フィルム１Ａを挟んで絶縁プレート６７と対向させて定着フィルム１Ａの外面側に配置されている。上記絶縁プレート６７のリング電極に制御回路（不図示）が画像情報に基づいて粉体コート手段駆動電源(不図示）を制御して該電源から電圧を選択的に印加することで、定着フィルム１Ａの内の、ニップ部Ｎでトナー像に対応しない領域にアルミ含有粉体６５をコートすることができる。粉体コート手段６３による定着フィルム内面へのアルミ含有粉体６５のコートは、ニップ部Ｎにおいて記録材Ｓ上のトナー像Ｔ以外の部分がアルミ粉体６５で覆われるようにタイミングを合わせて、画像情報に基づいて行われる。